(57)【要約】      （修正有）【課題】光沢効果を増大させたネイルチップを提供する。【解決手段】ネイルチップは、少なくともチップ本体と、フレキシブルプリント配線板と、発光素子と、電力供給装置と、電源スイッチとを備える。チップ本体は、爪の上に接着して装着するためのものであり、フレキシブルプリント配線板は、チップ本体の上に位置し、かつ電子回路がレイアウトされ、電子回路に接続される発光素子がフレキシブルプリント回路の表面上に様々な図案又はトーテムになるように配列されている。また、電力供給装置は、電子回路と選択的に電気的に接続され、電源スイッチは、電子回路を介して電力供給装置と発光素子との間に電気的に接続することによって電力供給装置から電力を発光素子に選択的に供給するようにさせる。なお、電源スイッチは、例えばプッシュスイッチ又は光検出スイッチなどが挙げられる。【選択図】図１
0003178913.tif 000002
【実用新案登録請求の範囲】
【請求項１】
少なくとも、爪に接着して装着するためのチップ本体と、
前記チップ本体の上に位置し、電子回路がレイアウトされているフレキシブルプリント配線板と、
前記フレキシブルプリント配線板の表面上に設置され、前記電子回路と電気的に接続している複数の発光素子と、
前記電子回路と選択的に電気的に接続され、前記電子回路を介して前記複数の発光素子に電力を供給することにより、前記複数の発光素子を発光表示させる電力供給装置と、
前記電子回路を介して前記電力供給装置と前記複数の発光素子との間に電気的に接続する電源スイッチと、を備え、
前記電源スイッチがオン／オフされることによって前記電力供給装置から前記電力を前記複数の発光素子に選択的に供給することを特徴とする、
ネイルチップ。
【請求項２】
前記電源スイッチはプッシュスイッチであることを特徴とする、
請求項１に記載のネイルチップ。
【請求項３】
前記電源スイッチは光検出スイッチであることを特徴とする、
請求項１に記載のネイルチップ。
【請求項４】
前記チップ本体は防水接着テープであることを特徴とする、
請求項１に記載のネイルチップ。
【請求項５】
前記チップ本体は両面接着テープであることを特徴とする、
請求項１に記載のネイルチップ。
【請求項６】
前記複数の発光素子は発光ダイオードであることを特徴とする、
請求項１に記載のネイルチップ。
【請求項７】
前記複数の発光素子は前記フレキシブルプリント配線板に嵌合され、かつ図案になるように配列され、前記図案はハート型、星型、花型等の図案であることを特徴とする、
請求項１に記載のネイルチップ。
【請求項８】
前記電力供給装置は少なくとも１つの電池を有することを特徴とする、
請求項１に記載のネイルチップ。
【請求項９】
前記電子回路は、前記複数の発光素子を点滅させるための無安定マルチバイブレータ発振器であることを特徴とする、
請求項１に記載のネイルチップ。
【請求項１０】
前記ネイルチップは、ネイルエナメル層をさらに有し、前記ネイルエナメル層は、少なくとも前記複数の発光素子を覆うようにすることを特徴とする、
請求項１に記載のネイルチップ。
【考案の詳細な説明】
【技術分野】
【０００１】
本考案は、ネイルチップに係り、特に発光素子を有するネイルチップに関するものである。
【背景技術】
【０００２】
人類文明の絶え間ない進化と共に、人々の需要に応えたものも異なってくる。それに、現代社会における相当激しい競争の中で、人々はいつも他人の視線を集めたくて、注目されたいという欲求がある。そして、他人の注目を集める方法は、色々な種類があって、精神面の向上を発展する人もいれば、外見の光輝く美しさを重視する人もいる。ゆえに、市場上には、種々様々な美容グッズが溢れている。
【０００３】
その美容グッズとしては、髪飾り、耳飾り、首飾り、服飾りや腕飾りなどのアクセサリー品が含まれている。人々はこれらの美容グッズで外見を飾ることによって高貴さと自信を増大させ得る。しかも現代社会において、社交関係が益々重要になってきた結果、社交場では、相手と握手する礼儀により、自身の優雅さを表現しようとするものでもあると考えられる。この場合、ネイルチップとしての引き立てる役割りに応じていれば、必ず他人の注目を集められると考えられ、他人より注目されている中心人物になった気分でいられる。然しながら、従来のネイルチップは、単に普通な色彩の変化であるため、光沢効果の乏しさが際立ってしまうので、往々にして単調すぎるという欠点があった。
【考案の概要】
【考案が解決しようとする課題】
【０００４】
上述した従来技術の問題を鑑み、本考案の目的は、ネイルチップの光沢効果を増大させ、使用者がより一層光輝く美しくなることができるようにしたネイルチップを提供することにある。
【課題を解決するための手段】
【０００５】
以上のことから、上記目的を達成するため、本考案のネイルチップは、少なくともチップ本体と、フレキシブルプリント配線板と、複数の発光素子と、電力供給装置と、電源スイッチとを備える。チップ本体は、例えば本考案のネイルチップを使用者の爪の上に接着して装着するために用いられている。なお、このチップ本体は、例えば防水接着テープであり、しかもチップ本体の材質としては、例えばプラスチック、ポリエステル樹脂又はその他の防水可能な材質が挙げられる。また、このチップ本体は、例えば両面接着テープであってもよく、その一面は使用者の爪の上に接着され、他面には、例えば本考案のネイルチップの他の構成要素が接着されている。
【０００６】
また、フレキシブルプリント配線板は、チップ本体の上に位置し、かつこのフレキシブルプリント配線板には、電子回路がレイアウトされている。また、発光素子は、フレキシブルプリント配線板の表面上に設置され、かつ発光素子はフレキシブルプリント配線板の電子回路と電気的に接続していることで発光素子を発光表示させる。その発光素子は発光ダイオードであってもよく、他の発光可能なものを用いてもよい。また、発光素子は、例えばフレキシブルプリント配線板に嵌合され、かつ様々な図案又はトーテムになるように配列され、これらの図案やトーテムはハート型、星型、花型等の図案であってもよい。そのほかに、本考案のネイルチップの発光素子は、例えば点滅発光してもよい。詳しく言うと、本考案のネイルチップの電子回路は、例えば無安定マルチバイブレータ発振器であってもよく、この無安定マルチバイブレータ発振器により、電流を発光素子に通過させるか否かによって、発光素子を点滅発光させる。
【０００７】
従って、本考案のネイルチップは、フレキシブルプリント配線板の表面上に位置している発光素子から直接に発光することで、使用者の爪がより光沢良く仕上げられる点を特徴としている。また、発光素子が直接にフレキシブルプリント配線板の表面上に位置しているため、発光素子が覆われるのを避けることができ、本考案のネイルチップをより光沢良く仕上げられることができる。
【０００８】
さらに、本考案のネイルチップの電力供給装置は、例えばフレキシブルプリント配線板の電子回路と選択的に電気的に接続されることにより、電力供給装置は、例えば電子回路を介して発光素子に電力を供給させ、これにより発光素子を発光表示させることができる。その電力供給装置は、例えばフレキシブルプリント配線板の上に位置してもよい。また、電力供給装置は、例えば少なくとも１つの電池を有するバッテリーパックであってもよく、かつこのバッテリーパックの電池は、例えば交換可能になるように構成してもよい。
【０００９】
そのほかに、本考案のネイルチップの電源スイッチは、例えば、フレキシブルプリント配線板の上に位置してもよく、チップ本体の上に位置してもよい。そして、この電源スイッチは、例えばフレキシブルプリント配線板の電子回路を介して電力供給装置と発光素子との間に電気的に接続する。これにより、本考案のネイルチップにおいて、例えば電源スイッチがオン／オフされることによって電力供給装置から電力を発光素子に選択的に供給するようにさせることから、発光素子を発光表示させるか否かのいずれかを行うように構成されている。その電源スイッチは、例えばプッシュスイッチであり、本考案のネイルチップの使用者が自ら発光素子を発光表示させるかどうかを決定できるようにする。また、電源スイッチは、例えば光検出スイッチであってもよい。
【００１０】
その結果、本考案のネイルチップは、電源スイッチがオン／オフされることによって発光素子を発光表示させるかどうかを制御することで、本考案のネイルチップの電池を有効に使用することが可能となる点をもう１つの特徴としている。
【００１１】
また、本考案のネイルチップは、例えばネイルエナメル層をさらに有し、かつこのネイルエナメル層は、少なくとも発光素子の上を覆うようにすることにより、発光素子をよりきれいに発光させることができる。
【考案の効果】
【００１２】
上述したとおり、本考案のネイルチップは、少なくとも以下の利点を発揮することができる。
（１）このネイルチップによれば、フレキシブルプリント配線板の表面上に位置している発光素子から直接に発光することで、使用者の爪がより光沢良く仕上げられることができる。また、発光素子が直接にフレキシブルプリント配線板の表面上に位置しているため、発光素子が覆われるのを避けることができ、本考案のネイルチップをより光沢良く仕上げられることもできる。
（２）このネイルチップによれば、電源スイッチがオン／オフされることによって発光素子を発光表示させるかどうかを制御することで、本考案のネイルチップの電池を有効に使用することが可能となる。
【図面の簡単な説明】
【００１３】
【図１】本考案のネイルチップの構成を示す図である。
【図２】本考案のネイルチップを示す立体図である。
【考案を実施するための形態】
【００１４】
以下、本考案のネイルチップの実施例について、関連図面を参照しながら説明する。なお、容易に理解できるようにするために、以下に示す実施例における同様の構成要素には、同じ符号を付けて説明する。
【００１５】
図１、図２を参照し、図１は、本考案のネイルチップの構成を示す図であり、図２は、本考案のネイルチップを示す立体図である。図１乃至図２に示すように、本考案のネイルチップ１００は、少なくともチップ本体１５０と、フレキシブルプリント配線板１１０と、発光素子１２０と、電力供給装置１３０と、電源スイッチ１４０とを備える。チップ本体１５０は、例えば使用者の爪の上に接着して装着するために用いることにより、使用者の爪を装飾することができる。なお、チップ本体１５０は、例えば防水接着テープであり、その防水接着テープの材質としては、例えばプラスチック、ポリエステル樹脂又はその他の防水可能な材質が挙げられる。そしてチップ本体１５０も、例えば防水裏カバーを有してもよい。また、チップ本体１５０は、例えば両面接着テープであってもよく、その両面接着テープの一面は、使用者の爪の上に接着され、他面には、例えば装飾物または本考案のネイルチップ１００の他の構成要素が接着されている。
【００１６】
なお、フレキシブルプリント配線板１１０は、チップ本体１５０の上に位置し、フレキシブルプリント配線板１１０は、例えばチップ本体１５０の上に接着してもよい。そして、フレキシブルプリント配線板１１０には、電子回路１１１がレイアウトされていってもよい。そのフレキシブルプリント配線板１１０は、例えば可撓性銅張積層基板であり、また、例えば、この可撓性銅張積層基板に対するエツチング加工を施すことにより、必要な電子回路１１１を残存させて成るものである。さらに、例えば、電子回路１１１がプリントされる金属箔膜を熱可塑性プラスチック中に接着することにより、電子回路１１１を有するフレキシブルプリント配線板１１０を作製することができる。然しながら、出願人がここで強調すべきことは、上述したフレキシブルプリント配線板１１０の設計は、単なる例示に過ぎず、電子回路１１１がレイアウトされているフレキシブルプリント配線板１１０の設計であれば、下記に添付する請求範囲に含まれることは自明である。
【００１７】
また、本考案のネイルチップ１００の発光素子１２０は、例えばフレキシブルプリント配線板１１０の表面上に設置され、かつ発光素子１２０がフレキシブルプリント配線板１１０の電子回路１１１と電気的に接続している。例を挙げると、本考案のネイルチップ１００の発光素子１２０の数量は、例えば複数であり、例えばフレキシブルプリント配線板１１０の上にハート型、星型、花型又は他の図案のような各種の様式又はトーテムになるように配列されている。図案になるように配列されているこれらの発光素子１２０は、フレキシブルプリント配線板１１０に嵌合され、この嵌合方式については、まず、フレキシブルプリント配線板１１０の特定位置に穴をあける。次に、特定位置にあけられたこれらの穴を、例えばハート型、星型、花型又は他の図案のような各種の様式又はトーテムになるように形成する。それから、それらの発光素子１２０をそれらの特定位置にある穴に配置して固定すると同時に、これらの発光素子１２０をフレキシブルプリント配線板１１０上の電子回路１１１と電気的に接続するようになる。
【００１８】
さらに、本考案のネイルチップ１００の発光素子１２０は、例えば発光ダイオード（ｌｉｇｈｔ  ｅｍｉｔｔｉｎｇ  ｄｉｏｄｅ，ＬＥＤ）であってもよい。またさらに、発光素子１２０は、例えば超薄型の発光ダイオードであってもよい。また、発光素子１２０の発光色は限定されることなく、言い換えれば、発光素子１２０の発光色は限定されず、例えば青色、赤色、緑色又は他の色彩のいずれかであってもよい。さらに、本考案のネイルチップ１００の発光素子１２０は、例えば点滅発光してもよい。例を挙げると、フレキシブルプリント配線板１１０上の電子回路１１１は、例えば無安定マルチバイブレータ発振器であることにより、発光素子１２０を点滅発光させることもできる。この無安定マルチバイブレータ発振器は、例えばコンデンサを有し、コンデンサの充放電により、この無安定マルチバイブレータ発振器の電流進行方向を決定することで、電流を発光素子１２０に通過させるか否かのいずれかを行う。また、この無安定マルチバイブレータ発振器のコンデンサの充放電が周期的に循環するので、この発光素子１２０を自動的に点滅させることが可能となる。
【００１９】
従って、本考案のネイルチップ１００は、フレキシブルプリント配線板１１０の表面上に位置している発光素子１２０から直接に発光することで、使用者の爪がより光沢良く仕上げられる点を特徴としている。また、発光素子１２０が直接にフレキシブルプリント配線板１１０の表面上に位置しているため、発光素子１２０が覆われるのを避けることができ、本考案のネイルチップ１００をより光沢良く仕上げられることができる。
【００２０】
そのほかに、電力供給装置１３０は、例えばフレキシブルプリント配線板１１０上の電子回路１１１と選択的に電気的に接続されることにより、この電力供給装置１３０は、例えば電子回路１１１を介して発光素子１２０に電力を供給させることにより、発光素子１２０を発光表示させることができる。しかも電力供給装置１３０は、例えばフレキシブルプリント配線板１１０の上に位置してもよい。また、電力供給装置１３０は、例えば少なくとも１つの電池１３１を有してもよく、この電池１３１は、電力を蓄えるために用いられるとともに、電力を発光素子１２０に供給するように構成されている。また、電池１３１は、例えば水銀電池などのような小型の電池であってもよい。さらに、本考案のネイルチップ１００は、例えば電池１３１を交換することにより、本考案のネイルチップ１００の使用寿命を延長することも可能であろう。
【００２１】
なお、本考案のネイルチップ１００の電源スイッチ１４０は、例えばフレキシブルプリント配線板１１０上の電子回路１１１を介して電力供給装置１３０と発光素子１２０との間に電気的に接続することにより、本考案のネイルチップ１００の使用者は、電源スイッチ１４０がオン／オフされることによって電力供給装置１３０から電力を発光素子１２０に選択的に供給するようにできるから、発光素子１２０を点灯させるかどうかを制御することができる。ここで、電源スイッチ１４０は、例えばフレキシブルプリント配線板１１０の上に位置してもよく、また例えば、チップ本体１５０の上に位置してもよい。その電源スイッチ１４０は、例えばプッシュスイッチであり、本考案のネイルチップ１００の使用者が自ら電源スイッチ１４０を押すことで、電源スイッチ１４０をオン／オフにすることができる。電源スイッチ１４０がオンにされる時、電力供給装置１３０は、電子回路１１１と電気的に接続することにより、発光素子１２０に電気的に接続することができる。これにより、電力を発光素子１２０に供給させることで、発光素子１２０を発光表示させることができる。一方、電源スイッチ１４０がオフにされる時、電力供給装置１３０は、電子回路１１１と電気的に接続していないため、電力供給装置１３０から電力を発光素子１２０に供給せず、発光素子１２０を発光表示されない状態となる。
【００２２】
また、電源スイッチ１４０は、例えば光検出スイッチであってもよい。例を挙げると、電源スイッチ１４０は、例えばフォトレジスタを有してもよく、使用者の周囲の環境の光強度値が大きくなるほど、フォトレジスタの抵抗値が高くなり、この時の電源スイッチ１４０がオフされたも同然である。一方、周囲の環境の光強度値が小さくなるほど、フォトレジスタの抵抗値が低くなる。フォトレジスタの抵抗値が所定の抵抗値より低い場合において、電源スイッチ１４０がオンされたも同然であり、この時の発光素子１２０を発光させる状態となる。
【００２３】
その結果、本考案のネイルチップ１００は、電源スイッチ１４０がオン／オフされることによって発光素子１２０を発光表示させるかどうかを制御することで、本考案のネイルチップ１００の電池１３１を有効に使用することが可能となる点をもう１つの特徴としている。
【００２４】
そのほかに、本考案のネイルチップ１００の発光素子１２０を、例えばネイルエナメル層がさらに覆うようにすることにより、本考案のネイルチップ１００をよりきれいに仕上げられることができる。そのネイルエナメル層としては、例えばネイルエナメルを、発光素子１２０、フレキシブルプリント配線板１１０又はチップ本体１５０のいずれかの上に塗布するように形成されたものであってもよい。
【符号の説明】
【００２５】
１００：ネイルチップ
１１０：フレキシブルプリント配線板
１１１：電子回路
１２０：発光素子
１３０：電力供給装置
１３１：電池
１４０：電源スイッチ
１５０：チップ本体
【図１】
0003178913.tif 000003
【図２】
0003178913.tif 000004